(57)【要約】【課題】全体の重量及び体積を減少させ、それと同時に出力流量を安定させ、大幅に噴射範囲を拡大できる、高蒸発性流体噴射器を提供すること。【解決手段】噴射部本体３１、噴射部本体３１内に形成された渦巻室３２、渦巻室３２の周囲に形成され、渦巻室３２に接続される複数のガス進入通路３３、噴射部本体３１の一端に設けられて、内部に高蒸発性流体を詰めた供給源に連結され、ガス進入通路３３に接続される注入通路３４、及び噴射部本体３１の別の一端に設けられ、渦巻室３２に接続される噴出口３５を備え、ガス進入通路３３は噴射部本体３１の中心線Ｒに対して傾斜し、これにより高蒸発性流体はガス進入通路３３から渦巻室３２内に進入して渦巻回転を起こし、最後に噴出口３５より加速噴出される。【選択図】図２
0003224721.tif 000002
【実用新案登録請求の範囲】
【請求項１】
内部に高蒸発性流体を詰めた供給源を連結することで、前記高蒸発性流体を噴射拡散する高蒸発性流体噴射器であって、
噴射部本体、前記噴射部本体内に形成され、前記噴射部本体に周囲を囲まれる渦巻室、前記渦巻室の周囲に形成され、前記渦巻室に接続される複数のガス進入通路、前記噴射部本体の一端に設けられて前記供給源に連結され、前記ガス進入通路に接続される注入通路、及び前記噴射部本体の別の一端に設けられ、前記渦巻室に接続される噴出口を備え、
前記ガス進入通路は前記噴射部本体の中心線に対して傾斜し、これにより前記高蒸発性流体は前記ガス進入通路を経て前記渦巻室内に進入し渦巻回転を起こし、最後に前記噴出口より加速噴出されることを特徴とする高蒸発性流体噴射器。
【請求項２】
前記渦巻室は、前記噴出口方向に向かって徐々に径が収縮していく円錐状であることを特徴とする請求項１に記載の高蒸発性流体噴射器。
【請求項３】
前記注入通路と前記ガス進入通路間には気体化室を設けることを特徴とする請求項１に記載の高蒸発性流体噴射器。
【考案の詳細な説明】
【技術分野】
【０００１】
本考案は、高蒸発性流体噴射器に関する。
【背景技術】
【０００２】
工業、消防、あるいは航空宇宙工学分野では、ほとんどすべてにおいて高圧容器を用いた高圧ガスの保存がなされており、ガスの保存量を高めるために、一般にはガスを液体に圧縮して保存している。
また、特殊な状況においては高流量ガスを液態噴射してガスの質量流量を高める方法があり、例えばロケットを噴射させる際に使用する噴射器や、消防用の二酸化炭素の消火器等にも同様な原理が応用されている。
【０００３】
図１に示すとおり、従来の二酸化炭素の消火器１は、二酸化炭素流体を詰めた瓶１１、瓶１１に設けた開閉バルブ１２、開閉バルブ１２に連結し、瓶１１の内部に延伸させる抽出管１３、開閉バルブ１２に連結させる導管１４、及び導管１４上に設ける噴出筒１５を備える。
以上の構造により、開閉バルブ１２を圧することで、開閉バルブ１２が下方の抽出管１３とつながり、瓶１１内の二酸化炭素流体は導管１４と噴出筒１５を経由して外に噴出される。また、二酸化炭素流体は噴出後即刻気体化されて、周囲の熱量を吸収するため、周囲の空気の温度を迅速に下げ、冷却作用を生じさせる。それと同時に、気体化した二酸化炭素は元来の空気を排除し、燃焼物体の周囲に隔離層を形成することで、燃焼物体の周囲の酸素濃度を下げ、消火効果を達成する。
【考案の概要】
【考案が解決しようとする課題】
【０００４】
従来の消火器１は、実際に使用する際に、瓶１１内に高圧状態をつくり、二酸化炭素流体を導管１４及び噴出筒１５によって外に噴出して、二酸化炭素流体を均等に拡散させるために、噴出筒１５を拡張し、導管１４及び噴出筒１５は一定の長さをもたせる設計とする必要がある。こうしないと、二酸化炭素流体を噴出させた時に不均一となり、消火器１の消火効果に影響を及ぼす。この結果、体積及び重量が増加して、使用上の利便性に欠け、この点は実に改善の待たれるところである。
【０００５】
本考案が解決しようとする課題は、全体の重量及び体積を減少させ、それと同時に出力流量を安定させ、大幅に噴射範囲を拡大できる、高蒸発性流体噴射器を提供することにある。
【課題を解決するための手段】
【０００６】
本考案は、内部に高蒸発性流体を詰めた供給源を連結することで、前記高蒸発性流体を噴射拡散する高蒸発性流体噴射器に関し、噴射部本体、前記噴射部本体内に形成され、前記噴射部本体に周囲を囲まれる渦巻室、前記渦巻室の周囲に形成され、前記渦巻室に接続される複数のガス進入通路、前記噴射部本体の一端に設けられて前記供給源に連結され、前記ガス進入通路に接続される注入通路、及び前記噴射部本体の別の一端に設けられ、前記渦巻室に接続される噴出口を備え、前記ガス進入通路は前記噴射部本体の中心線に対して傾斜し、これにより前記高蒸発性流体は前記ガス進入通路を経て前記渦巻室内に進入し渦巻回転を起こし、最後に前記噴出口より加速噴出される。
【０００７】
望ましくは、前記渦巻室は、前記噴出口方向に向かって徐々に径が収縮していく円錐状とする。
望ましくは、前記注入通路と前記ガス進入通路間には気体化室を設ける。
【考案の効果】
【０００８】
本考案の高蒸発性流体噴射器によれば、高蒸発性流体は、ガス進入通路を経て渦巻室に入ると、渦巻室に沿って回転しながら加速され、比較的薄い液膜を生じさせ、さらに、噴出口において噴出が加速化されるので、長い導管等を設ける必要がなく、高速で噴出した高蒸発性流体は、空気との摩擦を起こして破裂し、最良の細小化効果を実現する。
また、噴出口によって高蒸発性流体の流れが阻止され、出力流量をさらに安定させ、噴射範囲を大幅に拡大し、高蒸発性流体を均等に拡散噴出させる。
【図面の簡単な説明】
【０００９】
【図１】従来の二酸化炭素を用いた消火器の一部を破断した側面図である。
【図２】本考案の実施形態に係る噴射部本体の斜視図である。
【図３】本考案の実施形態に係る噴射部本体の一部を切り欠いた斜視図である。
【図４】本考案の実施形態を示す高蒸発性流体噴射器の使用時の断面図である。
【考案を実施するための形態】
【００１０】
以下、図面に基づいて本考案の実施例を詳細に説明する。
（実施形態）
図４に示す通り、本実施形態において、高蒸発性流体噴射器３は、内部に高蒸発性流体を詰めた供給源４を連結することで、高蒸発性流体を噴射拡散する。なお、本実施形態における供給源４は、二酸化炭素を用いた消火器用とし、且つ高蒸発性流体を二酸化炭素流体とする例によって説明を行う。
供給源４は、二酸化炭素流体を詰めた瓶４１、瓶４１に設けた開閉バルブ４２、及び開閉バルブ４２に連結し、瓶４１内部に延伸する抽出管４３を備える。
【００１１】
図２から図４に示す通り、高蒸発性流体噴射器３は、噴射部本体３１、噴射部本体３１内に形成され、噴射部本体３１に周囲を囲まれる渦巻室３２、渦巻室３２の周囲に形成され、渦巻室３２に接続される複数のガス進入通路３３、噴射部本体３１の一端に設けられて供給源４に連結され、ガス進入通路３３に接続される注入通路３４、及び噴射部本体３１の別の一端に設けられ、渦巻室３２に接続される噴出口３５を備える。
注入通路３４とガス進入通路３３との間には気体化室３６が設けられ、この気体化室３６が、高蒸発性流体の気体化を大幅に向上させる。
また、ガス進入通路３３は噴射部本体３１の中心線Ｒに対して傾斜し、渦巻室３２の径は噴出口３５方向に向かって徐々に収縮していく円錐状である。
【００１２】
使用時は、まず最初に開閉バルブ４２を圧することで、開閉バルブ４２に連動する抽出管４３が高蒸発性流体を取り込み、高蒸発性流体はさらに抽出管４３によって注入通路３４を経て気体化室３６に流れ込んで予め気体化が行われる。
続いて、高蒸発性流体は、気体化室３６からガス進入通路３３に入り、ガス進入通路３３を経て渦巻室３２に入ると即刻、高速回転を起こし、高速回転によって生じる遠心力が高蒸発性流体に比較的薄い液膜を形成させる。
【００１３】
その後、加速された高蒸発性流体は、噴出口３５から外に向けて噴出されるが、噴出後の高蒸発性流体は空気の摩擦によって破砕され、良好に細小化される。また、高蒸発性流体は気体化室３６と渦巻室３２において予め気体化されるため、良好な気体化効果を発揮する。
以上のように、高蒸発性流体噴射器３は、長い導管等を必要としないため全体の重量および体積を大幅に減少させるのと同時に、高蒸発性流体が均等拡散して噴出されるのを維持するものである。また、噴出口３５を収縮することで、高蒸発性流体の流れが阻止されて出力流量を安定化し、噴射範囲を大幅に拡大する等の効果を実現する。
【００１４】
高蒸発性流体は、噴出口３５から外に向けて噴出された後に気体化し、さらに周囲の熱量を吸収すると、周囲の空気の温度が迅速に下降するため、冷却作用を生じさせる。それと同時に、気体化した高蒸発性流体は、元々ある空気を排除して燃焼物体（未図示）の周囲に隔離層を形成する。これにより燃焼物体周囲の酸素濃度が下がり、消火効果を達成する。
【００１５】
前述をまとめると、本考案の高蒸発性流体噴射器は、高蒸発性流体が噴出される前に予め気体化されるのと同時に、高蒸発性流体は渦巻室に沿って高速回転され、比較的薄い液膜を生じさせる。また、噴出口において噴出が加速化されて、空気と摩擦を起こして破裂、細小化するため、最良の細小化効果を生じさせる。よって、本考案の高蒸発性流体噴射器は、全体の重量および体積を大幅に減少させるのと同時に、出力流量を安定化し、噴射範囲を大幅に拡大する効果を有するものである。
【００１６】
前述した本考案の実施形態は本考案を限定するものではなく、本考案の要旨を逸脱しない変化や修飾はすべて本考案の権利範囲に含まれる。
【符号の説明】
【００１７】
（従来の技術）
１    消火器
１１  瓶
１２  開閉バルブ
１３  抽出管
１４  導管
１５  噴出筒
（本考案）
３    高蒸発性流体噴射器
３１  噴射部本体
３２  渦巻室
３３  ガス進入通路
３４  注入通路
３５  噴出口
３６  気体化室
４    供給源
４１  瓶
４２  開閉バルブ
４３  抽出管
Ｒ    中心線
【図１】
0003224721.tif 000003
【図２】
0003224721.tif 000004
【図３】
0003224721.tif 000005
【図４】
0003224721.tif 000006